(57)【要約】【課題】幅広の挟持部と幅狭の挟持部の両方に対応させることのできるグレチャンを有したサッシの障子を提供する。【解決手段】障子のガラス体３周縁部に取付けられ方形状の框体内周面に形成される室内外突条４３、４４に挟持されるグレチャン本体７０からなるグレチャンにおいて、グレチャン本体７０は室内外の外面７１上部にそれぞれ室内外突条４３、４４の先端に内向き突出状に形成される挟持部４３ａ、４４ａが係合する係合溝７４を備え、係合溝７４は底面の上下中間部に突起状の係止部７５が形成されると共に、係止部７５と係合溝７４の側面によって室内外突条４３、４４の各挟持部４３ａ、４４ａを納めて係合させる被係合部７６を形成してなる。【選択図】図４
2006226019.tif 000002
【特許請求の範囲】
【請求項１】
障子のガラス体周縁部に取付けられ方形状の框体内周面に形成される室内外突条に挟持されるグレチャン本体からなるグレチャンにおいて、
上記グレチャン本体は室内外の外面上部にそれぞれ上記室内外突条の先端に内向き突出状に形成される挟持部が係合する係合溝を備え、該係合溝は底面の上下中間部に突起状の係止部が形成されると共に、該係止部と係合溝の側面によって上記室内外突条の各挟持部を納めて係合させる被係合部を形成してなることを特徴とするグレチャン。
【請求項２】
上記係止部は上記係合溝の上部側面と対向する側壁部を備え、該側壁部と上記係合溝の底面及び上部側面によって上記被係合部を凹状に形成してなることを特徴とする請求項１記載のグレチャン。
【請求項３】
上記係止部は上記側壁部の先端から上記係合溝の下部側面側に向かって下方傾斜状に形成される斜面部を備えてなることを特徴とする請求項２記載のグレチャン。
【発明の詳細な説明】
【技術分野】
【０００１】
本発明は、ガラス体周縁部に取付けられ框体の内周面に形成される室内外突条に挟持されるグレチャンに関し、特に障子の框体の室内外突条を軽量化できる構造を有したグレチャンに関する。
【背景技術】
【０００２】
従来からサッシに用いられる障子において、方形状の框体内部にグレチャンを介してガラス体を納めてなる構造が知られている。グレチャンを用いてガラス体を固定する場合、框体の内周面には室内側突条と室外側突条により凹状のガラス開口溝が形成され、ここにガラス体の周縁部に設けられる断面略コ字状のグレチャンを納め、室内外突条によりグレチャンの両側面を挟持することにより、ガラス体を固定し納める。このようにグレチャンを用いてガラス体を框体に納めた障子としては、例えば特許文献１に挙げるようなものがある。
【特許文献１】特許第３５０７０３１号公報
【発明の開示】
【発明が解決しようとする課題】
【０００３】
図８には従来のグレチャンを用いた障子の下框付近断面図を示している。この図に示すように、従来のグレチャンを用いた障子においては、グレチャン１００の両側面１０１、１０１にやや幅広の溝１０２を形成し、下框１１０の室内外突条１１１、１１２の先端部には、それぞれグレチャン１００の溝１０２の幅に合わせて内側に突出する挟持部１１３を形成し、室内外突条１１１、１１２の挟持部１１３をそれぞれグレチャン１００の溝１０２に納めて係合させ、これによってグレチャン１００を挟持固定していた。
【０００４】
しかし、一方で挟持部は室内外突条の先端部を突出させているために、その分だけ突条の体積を増すことになり、重量が増加すると共に材料費によるコストアップを招いていた。そのため、挟持部を幅狭に形成することも考えられるが、グレチャンは図７に示すような従来の幅広のものと兼用できるようにしておくことが必要である。
【０００５】
本発明は、上記課題を解決すべくなされたものであり、框体の突条の幅広に形成された挟持部と幅狭に形成された挟持部の両方に対応させることのできるグレチャンを提供することを目的とする。
【課題を解決するための手段】
【０００６】
上記課題を解決するため、本発明に係るグレチャンは、障子のガラス体周縁部に取付けられ方形状の框体内周面に形成される室内外突条に挟持されるグレチャン本体からなるグレチャンにおいて、
上記グレチャン本体は室内外の外面上部にそれぞれ上記室内外突条の先端に内向き突出状に形成される挟持部が係合する係合溝を備え、該係合溝は底面の上下中間部に突起状の係止部が形成されると共に、該係止部と係合溝の側面によって上記室内外突条の各挟持部を納めて係合させる被係合部を形成してなることを特徴として構成されている。
【０００７】
また、本発明に係るグレチャンは、上記係止部は上記係合溝の上部側面と対向する側壁部を備え、該側壁部と上記係合溝の底面及び上部側面によって上記被係合部を凹状に形成してなることを特徴として構成されている。
【０００８】
さらに、本発明に係るグレチャンは、上記係止部は上記側壁部の先端から上記係合溝の下部側面側に向かって下方傾斜状に形成される斜面部を備えてなることを特徴として構成されている。
【発明の効果】
【０００９】
本発明に係るグレチャンによれば、グレチャンの係合溝には底面の上下中間部に突起状の係止部が形成され、この係止部と係合溝の側面によって框体の室内外突条の各挟持部を納めて係合させる被係合部を形成してなることにより、被係合部によって幅狭に形成された框体の挟持部を納め係合させることができると共に、係合溝全体によって幅広に形成された框体の挟持部を納め係合させることができるので、挟持部を幅狭にして突条の軽量化を図った框体と、挟持部が幅広に形成された従来の框体のいずれにも兼用することができ、部品の共用化によるコストダウンを図ることができる。
【００１０】
また、本発明に係るグレチャンによれば、係止部は係合溝の上部側面と対向する側壁部を備え、側壁部と係合溝の底面及び上部側面によって被係合部を凹状に形成してなることにより、側壁部と係合溝の上部側面により框体の挟持部を強固に係合させることができる。
【００１１】
さらに、本発明に係るグレチャンによれば、係止部は側壁部の先端から係合溝の下部側面側に向かって下方傾斜状に形成される斜面部を備えてなることにより、係止部を押圧することにより容易に圧潰状とすることができ、従来の框体から強固に固定されることができる。
【発明を実施するための最良の形態】
【００１２】
本発明の実施形態について図面に沿って詳細に説明する。図１は本実施形態におけるグレチャン７０を用いたサッシの縦断面図であり、図２はサッシの横断面図である。本実施形態におけるサッシの基本構成は、建物開口部に取付けられる枠体１内に、外障子４と内障子５を引き違い状に納めてなるものである。
【００１３】
枠体１は、下枠１０と上枠２０及び左右の縦枠３０、３０を方形状に枠組みしてなるものである。下枠１０は室外側の金属下枠１１とその室内側に配設される樹脂下枠１２とからなっている。また、上枠２０は室外側の金属上枠２１とその室内側に配設される樹脂上枠２２とからなっている。さらに、縦枠３０は金属縦枠３１とその室内側に配設される樹脂縦枠３２とからなっている。
【００１４】
枠体１は、その見込方向中間位置に四周に渡って設けられるフィン８が建物躯体に当接し、ビス止めされることで固定されている。すなわち、このサッシはいわゆる半外付けサッシである。また、金属下枠１１の室内面下端部には、室内側に向かって突出する固定部１１ｄが形成されており、この固定部１１ｄも建物躯体に対してビス止めされる。
【００１５】
枠体１の下枠１０には、外レール１１ａと内レール１１ｂ及び網戸レール１１ｃが長手方向略全長に渡って突出状に形成されており、それぞれ外障子４と内障子５及び網戸（図示しない）を案内する。また、枠体１の上枠２０には、外レール２１ａと内レール２１ｂ及び網戸レール２１ｃが長手方向略全長に渡って突出状に形成されており、それぞれ外障子４と内障子５及び網戸を案内する。
【００１６】
外障子４と内障子５は、横框である下框４０及び上框５０と、左右の縦框６０、６０とを方形状に框組みしてなる框体２の内部に、グレチャン７０を介してガラス体３を納めてなるものである。そして、框体２は、室外側に金属材を配し、室内側に樹脂材を配した複合材からなるものである。
【００１７】
すなわち、下框４０は、室外側の金属下框４１と、その室内面に取付けられる樹脂下框４２とから構成され、上框５０は、室外側の金属上框５１と、その室内面に取付けられる樹脂上框５２とから構成され、縦框６０は、室外側の金属縦框６１と、その室内面に取付けられる樹脂縦框６２とから構成される。下框４０の下端部には、戸車４６が設けられて、障子を下枠１０のレール上で走行自在となるようにしている。
【００１８】
各框の内周面にはグレチャン７０を介してガラス体３を納めることができるように、それぞれガラス開口溝が形成されている。金属下框４１は、室外面に内周方向に向かって延びる室外側突条４３を備え、樹脂下框４２は、内周方向に向かって延びる室内側突条４４を備えている。これら室外側突条４３と室内側突条４４及び下框４０の内周面によって断面略コ字状のガラス開口溝４５が形成される。
【００１９】
同様に、上框５０については、金属上框５１の室外面に室外側突条５３が、樹脂上框５２に室内側突条５４が、それぞれ形成されて、断面略コ字状のガラス開口溝５５を形成する。さらに、縦框６０については、金属縦框６１の室外面に室外側突条６３が、室内面に室内側突条６４が形成され、さらに樹脂縦框６２が金属縦框６１の室内側突条６４を含む室内面全体を覆っている。したがって、室内側突条６４は金属材と樹脂材が重合状態となっており、この室内側突条６４と室外側突条６３及び縦框６０の内周面により断面略コ字状のガラス開口溝６５を形成する。なお、縦框６０のうち外障子４の召合せ框については、樹脂縦框６２は設けられておらず、金属縦框６１のみで構成されている。
【００２０】
グレチャン７０の構成について詳細に説明する。図３には、グレチャン７０の断面拡大図を示している。グレチャン７０は、弾力性を有する軟質の樹脂材からなり、ガラス体３の周縁部に四周に渡って取付けられるものである。そして、グレチャン７０は、左右の側面７１、７１と底面７２により断面略コ字状を形成しており、側面７１、７１の上部にはガラス体３に対し圧接する天面部７３が形成されている。側面７１には、天面部７３のすぐ下部の部分に係合溝７４が形成されており、この係合溝７４に下框４０の挟持部４３ａ、４４ａを納めて係合し、室内外突条４３、４４によるグレチャン７０の挟持をなす。
【００２１】
図４には、下框４０のガラス体３を挟持する部分の拡大図を示している。この図に示すように室外側突条４３には、先端に内側に向かって突出する挟持部４３ａが形成され、室内側突条４４には、先端に内側に向かって突出する挟持部４４ａが形成されている。
【００２２】
係合溝７４は、下框４０の挟持部４３ａ、４４ａよりも幅広に形成されており、その底面には突起状の係止部７５が形成されている。係止部７５は、係合溝７４の上部側面と対向する側壁部７５ａと、側壁部７５ａの先端から係合溝７４の下部側面側に向かって下方傾斜状に形成される斜面部７５ｂとから構成されて断面略三角形状をなしている。側壁部７５ａは、係合溝７４の上下略中央位置に配置されており、側壁部７５ａと係合溝７４の底面及び上部側面によって、下框４０の挟持部４３ａ、４４ａに略適合するような凹形状の被係合部７６を形成する。
【００２３】
室外側突条４３の挟持部４３ａは、グレチャン７０の室外側の被係合部７６に納められ係合し、その底面を室内側に向かって押圧する。一方、室内側突条４４の挟持部４４ａは、グレチャン７０の室内側の被係合部７６に納められ係合し、その底面を室外側に向かって押圧する。このようにグレチャン７０は室内外側面をそれぞれ下框４０の室内外突条４３、４４により挟持され、天面部７３がガラス体３に圧接してガラス体３を固定する。
【００２４】
上框５０における室内外突条５３、５４とグレチャン７０の構成については、下框４０の構成を上下反転させたものであるため、説明を省略する。図５には縦框６０のガラス体３を挟持する部分の拡大図を示している。この図に示すように、金属縦框６１の室内面に形成された室内側突条６４の先端部に対し樹脂縦框６２の内周側先端部が係合し、この樹脂縦框６２の内周側先端部にグレチャン７０を挟持する挟持部６４ａが形成されている。したがって、縦框６０においてグレチャン７０は、室外側は金属縦框６１に形成された挟持部６３ａにより、室内側は樹脂縦框６２に形成された挟持部６４ａにより、それぞれ挟持される。その他の点は下框４０の場合と同様であり、グレチャン７０の係合溝７４に形成される被係合部７６に対して、各挟持部６３ａ、６４ａが納められ係合する。
【００２５】
以上のように、グレチャン７０の係合溝７４には、上部側面と対向する側壁部７５ａを有した係止部７５が形成されているので、側壁部７５ａから係合溝７４の上部側面までの幅を有した室内外突条の挟持部を係合させることができる。一方で、係止部７５は挟持部により押圧することで圧潰状とすることもできる。したがって、係合溝７４の上部側面から下部側面までの幅を有した従来の障子の挟持部により係止部７５を押圧しつつ、この挟持部を係合溝７４の幅全体で係合させることもできる。このように、本実施形態のグレチャン７０は、幅狭で軽量化した挟持部を係合させることができると共に、従来の幅広な挟持部も係合させることができ、両方の障子に兼用することができる。
【００２６】
本実施形態では、金属材の室内側に樹脂材を配設した複合サッシについて説明したが、本発明は金属材のみからなる金属サッシにも適用することができる。この場合には、框体２の室内外突条がいずれも金属材から構成される。図６は、金属サッシの場合における下框４０のガラス体３を挟持する部分の拡大図である。
【００２７】
図６に示すように、金属サッシの場合には、下框４０は金属下框４１のみから構成され、室外側突条４３と室内側突条４４はいずれも金属材により構成される。室内外突条４３、４４の先端部には挟持部４３ａ、４４ａがそれぞれ形成され、グレチャン７０を挟持する。グレチャン７０は複合サッシの場合と同一であり、挟持部４３ａ、４４ａがグレチャン７０の係合溝７４に形成された被係合部７６に納められ係合する。
【００２８】
図７には、従来の障子に本実施形態のグレチャン７０を納めた場合の下框４０のガラス体３を挟持する部分の拡大図を示している。この図に示すように、グレチャン７０の側面７１に形成された係合溝７４は、従来の障子における幅広な挟持部４３ａ、４４ａの幅に略適合する幅を有して形成されているので、障子の挟持部４３ａ、４４ａは、それぞれ係合溝７４に納められ係合する。図７においては、係合溝７４の係止部７５をそのまま突出状に描いているが、実際には挟持部４３ａ、４４ａの内側面によって押圧され、圧潰状となる。このように本実施形態のグレチャン７０は、挟持部４３ａ、４４ａを幅狭に形成してコストダウンを図った障子だけでなく、挟持部４３ａを幅広に形成した従来の障子にも納めることができる。
【００２９】
これまで、本発明の実施形態について説明したが、本発明の適用はこの実施形態には限られず、その技術的思想の範囲において様々に適用されうるものである。
【図面の簡単な説明】
【００３０】
【図１】本実施形態における障子を用いた引き違いサッシの縦断面図である。
【図２】本実施形態における障子を用いた引き違いサッシの横断面図である。
【図３】グレチャン断面の拡大図である。
【図４】下框のガラス体挟持部分の拡大図である。
【図５】縦框のガラス体挟持部分の拡大図である。
【図６】金属サッシの場合における下框のガラス体挟持部分の拡大図である。
【図７】従来の障子に本実施形態のグレチャンを納めた下框のガラス体挟持部分の拡大図である。
【図８】従来の障子における下框のガラス体挟持部分の拡大図である。
【符号の説明】
【００３１】
１    枠体
２    框体
３    ガラス体
４０    下框
４３    室外側突条
４３ａ  挟持部
４４    室内側突条
４４ａ  挟持部
４５    ガラス開口溝
５０    上框
５３    室外側突条
５３ａ  挟持部
５４    室内側突条
５４ａ  挟持部
５５    ガラス開口溝
６０    縦框
６３    室外側突条
６３ａ  挟持部
６４    室内側突条
６４ａ  挟持部
６５    ガラス開口溝
７０    グレチャン
７４    係合溝
７５    係止部
７５ａ  側壁部
７５ｂ  斜面部
７６    被係合部
【図１】
2006226019.tif 000003
【図２】
2006226019.tif 000004
【図３】
2006226019.tif 000005
【図４】
2006226019.tif 000006
【図５】
2006226019.tif 000007
【図６】
2006226019.tif 000008
【図７】
2006226019.tif 000009
【図８】
2006226019.tif 000010